(57)【特許請求の範囲】
【請求項１】
フェムト基地局をアクティブにする方法であって、
少なくとも１つのアクセスポイントをコロケーションされているフェムト基地局と結び付ける少なくとも１つのバインディング・メッセージを送信するステップと、
前記コロケーションされているフェムト基地局が電力節約モードにあると決定するステップと、
前記コロケーションされているフェムト基地局が動作モードに入るよう要求するリクエストを前記アクセスポイントを介して送信するステップと
を有する方法。
【請求項２】
前記少なくとも１つのアクセスポイントとの第１の接続を確立するステップと、
前記フェムト基地局との第２の接続を確立するステップと、
前記第１の接続及び前記第２の接続を同時に保つと、前記少なくとも１つのバインディング・メッセージを生成するステップと
を更に有する請求項１に記載の方法。
【請求項３】
前記少なくとも１つのアクセスポイントを前記コロケーションされているフェムト基地局と再度結び付ける少なくとも１つの更なるバインディング・メッセージを周期的に送信するステップ
を更に有する請求項１に記載の方法。
【請求項４】
少なくとも１つの更なるアクセスポイントを前記コロケーションされているフェムト基地局と結び付ける少なくとも１つの更なるバインディング・メッセージを送信するステップ
を更に有する請求項１に記載の方法。
【請求項５】
フェムト基地局をアクティブにする方法であって、
アクセスポイント及び該アクセスポイントとともにコロケーションされているフェムト基地局を識別するバインディング・メッセージをエンドポイントから受信するステップと、
前記バインディング・メッセージに基づく第１のバインディングを記憶するステップと、
前記フェムト基地局が動作モードに入るよう要求する第１のリクエストを、前記第１のバインディングを有する前記エンドポイントから受信するステップと、
前記第１のリクエストとは異なるインターフェースを用いて、前記フェムト基地局が動作モードに入るよう要求する第２のリクエストを送信するステップと
を有する方法。
【請求項６】
前記第１のバインディングが終了したと決定するステップと、
前記第１のリクエストを削除するステップと
を更に有する請求項５に記載の方法。
【請求項７】
フェムト基地局をアクティブにするシステムであって、
少なくとも１つのアクセスポイントをコロケーションされているフェムト基地局と結び付ける少なくとも１つのバインディング・メッセージを送信するよう構成されるインターフェースと、
前記インターフェースへ結合され、前記コロケーションされているフェムト基地局が電力節約モードにあると決定するよう構成されるプロセッサと
を有し、
前記インターフェースは、更に、前記コロケーションされているフェムト基地局が動作モードに入るよう要求するリクエストを前記アクセスポイントを介して送信するよう構成される、システム。
【請求項８】
フェムト基地局をアクティブにするシステムであって、
アクセスポイント及び該アクセスポイントとともにコロケーションされているフェムト基地局を識別するバインディング・メッセージをエンドポイントから受信するよう構成されるインターフェースと、
前記インターフェースへ結合され、前記バインディング・メッセージに基づく第１のバインディングを有するよう構成されるプロセッサと
を有し、
前記インターフェースは、更に、
前記フェムト基地局が動作モードに入るよう要求する第１のリクエストを、前記第１のバインディングを有する前記エンドポイントから受信し、
前記第１のリクエストとは異なるインターフェースを用いて、前記フェムト基地局が動作モードに入るよう要求する第２のリクエストを送信する
よう構成される、システム。
【請求項９】
ソフトウェアを組み込む１又はそれ以上のコンピュータ読出可能な持続性記憶媒体であって、前記ソフトウェアは、プロセッサによって実行される場合に、
少なくとも１つのアクセスポイントをコロケーションされているフェムト基地局と結び付ける少なくとも１つのバインディング・メッセージを送信し、
前記コロケーションされているフェムト基地局が電力節約モードにあると決定し、
前記コロケーションされているフェムト基地局が動作モードに入るよう要求するリクエストを前記アクセスポイントを介して送信する
よう動作する、記憶媒体。
【請求項１０】
ソフトウェアを組み込む１又はそれ以上のコンピュータ読出可能な持続性記憶媒体であって、前記ソフトウェアは、プロセッサによって実行される場合に、
アクセスポイント及び該アクセスポイントとともにコロケーションされているフェムト基地局を識別するバインディング・メッセージをエンドポイントから受信し、
前記バインディング・メッセージに基づく第１のバインディングを記憶し、
前記フェムト基地局が動作モードに入るよう要求する第１のリクエストを、前記第１のバインディングを有する前記エンドポイントから受信し、
前記第１のリクエストとは異なるインターフェースを用いて、前記フェムト基地局が動作モードに入るよう要求する第２のリクエストを送信する
よう動作する、記憶媒体。
【発明の詳細な説明】
【技術分野】
【０００１】
本発明は、概して、フェムト基地局をアクティブにする方法及びシステムに係る。
【背景技術】
【０００２】
様々な無線技術（例えば、３Ｇ、４Ｇ、３ＧＰＰ長期的エボリューション（ＬＴＥ）、ＬＴＥ―Ａｄｖａｎｃｅｄ（ＬＴＥ−Ａ）、ＷｉＭＡＸ、等）は、一般的に「フェムト基地局」と呼ばれる、ユーザにより設置される小規模の基地局（ＷｉＭＡＸにおけるフェムトセル又は３ＧＰＰにおけるＨｏｍｅ  Ｎｏｄｅ−Ｂとしても知られる。）の使用を可能にする。フェムト基地局は、無線サービスプロバイダによってユーザへ提供される。ユーザは、自身の家や職場（広く、ここでは、ホーム又はホーム・ロケーションと呼ばれる。）でフェムト基地局を設置して、局所無線補償範囲の品質及び信号強さを増大させる。無線サービスプロバイダのネットワーク（ＷＳＰＮ）に対するフェムト基地局の帰路接続は、ユーザのホームネットワークアクセス（例えば、ＤＳＬ）を介して提供される。フェムト基地局は、無線サービスプロバイダのマクロ基地局（ＭＢＳ）と同様の無線形態で動作する（例えば、同じ許可された周波数バンドを用いる）。このように、ＭＢＳからフェムト基地局へのハンドオーバーは、（１つのＭＢＳから他のＭＢＳへのハンドオーバーと同様に）ユーザに気がつかれることなく行われてよい。
【０００３】
フェムト基地局はマクロ基地局と同様の無線形態で動作するので、同じ無線サービスを使用する如何なるエンドポイントもフェムト基地局を介して接続を確立することが可能である。しかし、フェムト基地局のオーナーは自身のフェムト基地局を公衆に利用可能することを望まないので、オーナーは、フェムト基地局を、オーナーによって指定された閉じられた加入者グループ（ＣＳＧ）のメンバーからのアクセスのみを認めるよう構成することがある。
【発明の概要】
【発明が解決しようとする課題】
【０００４】
本発明は、フェムト基地局が電力節約モードにあるためにフェムト基地局と直接に無線通信を行うことができない場合であってもフェムト基地局をアクティブにする方法、システム及び記憶媒体を提供することを目的とする。
【課題を解決するための手段】
【０００５】
本開示の技術は、フェムト基地局をアクティブにする方法及びシステムに係る。例えば、フェムト基地局をアクティブにする方法は、少なくとも１つのアクセスポイントをコロケーションされているフェムト基地局と結び付ける少なくとも１つのバインディング・メッセージを送信するステップを有してよい。当該方法は、更に、前記コロケーションされているフェムト基地局が電力節約モードにあると決定するステップを有してよい。当該方法は、更に、前記コロケーションされているフェムト基地局が動作モードに入るよう要求するリクエストを前記アクセスポイントを介して送信するステップを有してよい。
【０００６】
特定の実施形態の技術的利点には、フェムト基地局が電力節約モードに入り、自身のエア・インターフェースをオフする場合に電力消費量が低減されること、がある。特定の実施形態の他の技術的利点は、エンドポイントが、フェムト基地局が電力節約モードにあるためにフェムト基地局と直接に無線通信を行うことができないとしても、フェムト基地局を動作モードに戻すことができることである。他の技術的利点は、以下の図面、記載、及び特許請求の範囲から当業者には容易に理解されるであろう。更に、具体的な利点が先に列挙されたが、種々の実施形態は、列挙されている利点の全て若しくは一部を含んでも、又はそれらを全く含まなくてもよい。
【発明の効果】
【０００７】
本発明の実施形態によれば、フェムト基地局が電力節約モードにあるためにフェムト基地局と直接に無線通信を行うことができない場合であってもフェムト基地局をアクティブにすることが可能となる。
【図面の簡単な説明】
【０００８】
【図１】特定の実施形態に従う、様々な通信ネットワークを有する通信システムを表す。
【図２】特定の実施形態に従う、エンドポイントのより詳細な図を含むネットワークを表す。
【図３】特定の実施形態に従う、フェムト基地局をアクティブにする方法を表す。
【発明を実施するための形態】
【０００９】
特定の実施形態及びそれらの利点のより完全な理解のために、添付の図面とともに、以下の記載を参照されたい。
【００１０】
図１は、特定の実施形態に従う、様々な通信ネットワークを有する通信システムを表す。通信システム１００は、複数のネットワーク１１０を有してよい。夫々のネットワーク１１０は、１又はそれ以上の異なったサービスを独立して又は他のネットワークと関連して助けるよう設計された様々な通信ネットワークのいずれであってもよい。例えば、ネットワーク１１０は、インターネットアクセス、無線アクセス（例えば、ＬＴＥ又はＷｉＭＡＸ無線サービスを介する。）、オンラインゲーム、データのダウンロード、ファイル共有、ピア・ツー・ピアのファイル共有（Ｐ２Ｐ）、ボイス・オーバー・インターネット・プロトコル（ＶｏＩＰ）呼出、ビデオ・オーバーＩＰ呼出、又はネットワークによって一般的に提供されているその他タイプの機能を助けることができる。ネットワーク１１０は、有線又は無線通信のための様々なプロトコルのいずれかを用いて夫々のサービスを提供してよい。例えば、ネットワーク１１０ａは、広くＷｉＭＡＸとして知られている８０２．１６無線ネットワーク（例えば、８０２．１６ｊ）であってよく、他にもコンポーネントはあるが、マクロ基地局（ＭＢＳ）（例えば、ＭＢＳ１２０）と、フェムト基地局（ｆＢＳ）（例えば、ｆＢＳ１９０）とを有してよい。ネットワーク１１０及びそれらの夫々のコンポーネントの異なった特性を用いると、エンドポイント１４０ｈは、アクセスポイント１９５を介して、ｆＢＳ１９０と直接に通信する必要なしに、ｆＢＳ１９０が電力節約モードから動作モードへ戻るよう要求することができる。
【００１１】
説明を簡単にするため、以降では、ここで論じられる様々なエンティティ、コンポーネント、及びネットワークに関して略語が用いられることがある。「ホーム・ロケーション」は、ユーザが外部ネットワーク（例えば、インターネット）へのホームネットワークアクセスを有する場所をいう。ホーム・ロケーションはユーザの住居に限られず、例えば、ユーザの職場を含むことがある。「ホームネットワークアクセス」は、ユーザのホーム・ロケーションから１又はそれ以上の外部ネットワーク（例えば、インターネット）にアクセスするために使用される様々な技術及び／又はテクノロジのいずれかをいう。例えば、ホームネットワークアクセスは、ケーブルモデム、ＤＳＬモデム、ｘＤＳＬモデム、等を有してよい。「ホームネットワーク」は、ユーザのホーム・ロケーション内で設定されるローカルエリアネットワーク（ＬＡＮ）をいう。ＬＡＮは、有線及び無線の両方の通信を有してよい。語「インターネット」は、インターネットにのみ限定されるよう意図されず、公共の及び私的なネットワークを含むあらゆるタイプのネットワークを含む。「インターネットサービスプロバイダ（ＩＳＰ）」は、ユーザにホームネットワークアクセスを提供するエンティティをいう。「無線サービス」は、広い地理的範囲にわたる無線接続をエンドポイントに提供するために無線サービスプロバイダによって使用される様々な技術及びテクノロジ（例えば、ＷｉＭＡＸ又はＬＴＥ）のいずれかをいう。「無線サービスプロバイダ（ＷＳＰ）」は、無線サービスを提供するエンティティをいう。これらの略語は簡単のために用いられるのであり、全ての可能な実施形態の適用範囲全体を表すわけではない。例えば、ＩＳＰはＷＳＰであってもよい。他の例として、ＩＳＰは、直接的にユーザにインターネットアクセスを提供していなくてもよい（例えば、ＩＳＰは、建物にインターネットアクセスを提供してよく、次いで、建物内のユーザは、ｆＢＳユーザにインターネットアクセスを提供してよい。）。
【００１２】
図１に示されている実施形態は、ｆＢＳ１９０を含む。ｆＢＳ１９０は、本質的に、ユーザのＷＳＰからユーザによって購入された（又は借りられた）小規模基地局であってよい。設置されると、ｆＢＳ１９０は、地理的に小さなサービスエリアを提供してよい。このサービスエリアは、ユーザのホーム・ロケーション内の信号補償範囲を強めるために使用されてよい。幾つかの実施形態では、ｆＢＳ１９０は、周囲基地局１２０と同じ無線サービスを使用してよい。例えば、特定の実施形態において、ｆＢＳ１９０は、ＷＳＰの他のローカルＭＢＳ１２０及び中継局（図示せず。）と同じ許可されたスペクトル（例えば、ユーザのＷＳＰによって許可されたスペクトル）を使用してよい。シナリオに依存して、ユーザは、自身のｆＢＳの補償範囲を他の未知のユーザと共有してよく（例えば、ｆＢＳは公衆ｆＢＳである。）、あるいは、ユーザは、自身のｆＢＳの補償範囲を既知の／認証されたユーザに制限してよい（例えば、ｆＢＳは私的ｆＢＳである。）。制限されたユーザはＣＧＳと呼ばれることがある。各ユーザは各自のｆＢＳを運営していてよいので、彼らはＣＧＳタイプ設定において自身のｆＢＳを使用したいと、より思うことがある。
【００１３】
各ユーザ及び／又はホーム・ロケーションは各自のｆＢＳ１９０を有してよいので、所与の範囲内でｆＢＳの比較的高い集中が存在しうる（例えば、共同住宅）。これは、隣接するｆＢＳ及び／又は他の基地局の間の無線干渉の機会及び／又は重篤性を増大させうる。ネットワークにおいて干渉を管理するために使用される１つの技術は、ｆＢＳ１９０のサービスが必要とされない場合にはｆＢＳ１９０の無線インターフェースをオフすることであってよい。例えば、ｆＢＳ１９０は、夫々のＣＳＧにおける全てのエンドポイントがホームから離れている又は電源をオフされている場合に、自身の送信（及び受信）をオフしてよい。特定の実施形態において、エンドポイント１４０ｈがオフされる又はホームに戻る場合には、エンドポイント１４０ｈは、例えば、アクセスポイント１９５とのＷｉＦｉ接続を用いて、ｆＢＳ１９０をリストアしてよい。
【００１４】
図１の例となる通信システム１００は６つの異なったネットワーク、すなわち、ネットワーク１１０ａ〜１１０ｆを有するが、語「ネットワーク」は、ウェブページ、電子メール、テキストチャット、ＶｏＩＰ、及びインスタント・メッセージを通じて送信される信号、データ又はメッセージを含む信号、データ、及び／又はメッセージを送信することができるあらゆるネットワーク又はネットワークの組み合わせを広く定義すると解されるべきである。ネットワークの適用範囲、サイズ及び／又は設定に依存して、ネットワーク１１０ａ〜１００ｆのいずれか１つは、ＬＡＮ、ＷＡＮ、ＭＡＮ、ＰＳＴＮ、ＷｉＭＡＸネットワーク、地球規模のネットワーク（例えば、インターネット）、イントラネット、エクトラネット、又は無線若しくは有線ネットワーキングのその他形態として実施されてよい。
【００１５】
ネットワーク１１０は、任意数の有線リンク１６０、無線接続１５０、ノード１７０及び／又はエンドポイント１４０のあらゆる組み合わせを有してよい。説明のために、及び単なる一例として、ネットワーク１１０ａは、少なくとも部分的にＷｉＭＡＸ又はＬＴＥを介して実施されるＭＡＮである。ネットワーク１１０ｂは、ＰＳＴＮである。ネットワーク１１０ｃは、ＬＡＮである。ネットワーク１１０ｄは、ＷＡＮ（例えば、インターネット）である。ネットワーク１１０ｅは、無線サービス（例えば、ＷｉＭＡＸ）をネットワーク１１０ａに提供することに関与するＷＳＰによって動かされるＷＳＰＮである。ネットワーク１１０ｆは、インターネットアクセスを含むホームネットワークアクセスをユーザに提供することに関与するＩＳＰによって動かされるインターネットサービスプロバイダネットワーク（ＩＳＰＮ）である。図１には図示されていないが、ＩＳＰＮネットワーク１１０ｆは、サーバ、モデム、ゲートウェイ、及び各自のサービスを提供するために必要とされるその他コンポーネントを有してよい。
【００１６】
ネットワーク１１０は、６つの別個のネットワークとして表されているが、シナリオに依存して、ネットワークのいずれか２つ又はそれ以上は単一ネットワークであってよい。例えば、ＷＳＰ及びＩＳＰは、同じネットワーク上で両方のサービスのための必要なコンポーネントを保持する同じビジネス・エンティティであってよく、このようにして、ＩＳＰＮネットワーク１１０ｆ及びＷＳＰＮネットワーク１１０ｅを単一のネットワークにまとめることができる。
【００１７】
更に、ネットワーク１１０の間の相互接続は、図１に表されているものとは異なってよい。例えば、ユーザが自身のインターネットアクセスのためにデジタル加入者回線（ＤＳＬ）を用いる場合には、ユーザのネットワークアクセス装置１８０はＰＳＴＮ１１０ｂへ接続してよい。
【００１８】
一般的に、ネットワーク１１０は、エンドポイント１４０及び／又はノード１７０の間のパケット、セル、フレーム、又は他の情報部分（ここでは、広く「パケット」と呼ばれる。）の通信を提供する。特定の実施形態において、ネットワーク１１０ａ及び１１０ｃ〜１１０ｆはＩＰネットワークであってよい。ＩＰネットワークは、データをパケットに置いて、各パケットを選択されたあて先へ１又はそれ以上の通信パスに沿って個別に送信することによって、データを送信する。ネットワーク１１０ｂは、例えば、交換局、セントラルオフィス、携帯電話中継局、ページャ中継局、遠隔端末、及び世界中に配置されている他の関連する電気通信設備を含むＰＳＴＮであってよい。ネットワーク１１０ｄは、ゲートウェイを介してネットワーク１１０ｂへ結合されてよい。実施形態に依存して、ゲートウェイは、ネットワーク１１０ｂ及び／又は１１０ｄの一部であってよい（例えば、ノード１７０ｅ及び／又は１７０ｃはゲートウェイを有してよい。）。ゲートウェイは、ＰＳＴＮ１１０ｂが、非ＰＳＴＮネットワーク（例えば、ネットワーク１１０ａ又は１１０ｃ〜１１０ｆのいずれか１つ）と通信可能であるようにしてよい。
【００１９】
ネットワーク１１０ａ又は１１０ｃ〜１１０ｆのいずれかは、他のＩＰネットワーク（インターネットを含むが、これに限られない）へ結合されてよい。ＩＰネットワークは一般的なデータ送信方法を共有するので、信号は、異なった、しかし相互に接続されたＩＰネットワーク上に置かれている装置間で送信されてよい。他のＩＰネットワークへ結合されることに加えて、ネットワーク１１０ａ又は１１０ｃ〜１１０ｆのいずれかは、また、インターフェース又はコンポーネント（例えば、ゲートウェイ）を介して非ＩＰネットワークへも結合されてよい。同様に、ＰＳＴＮ１１０ｂは、インターフェース又はゲートウェイを介してＩＰネットワークを含む他のネットワークへ接続可能であってよい。
【００２０】
ネットワーク１１０は、複数の有線リンク１６０、無線接続１５０、及びノード１７０を介して互いへ及び他のネットワークと接続されてよい。有線リンク１６０、無線接続１５０、及びノード１７０は様々なネットワークを接続するのみならず、エンドポイント１４０を互いに、及びネットワーク１１０のいずれ又はその一部へ結合されるその他コンポーネントと相互接続する。ネットワーク１１０の相互接続は、エンドポイント１４０が相互間でデータ及び制御信号をやり取りすることを可能にするとともに、あらゆる中間コンポーネント又は装置がデータ及び制御信号をやり取りすることを可能にする。従って、エンドポイント１４０のユーザは、ネットワーク１１０の１又はそれ以上へ結合されている夫々のネットワークコンポーネントの間でデータ及び制御信号を送受信可能であってよい。
【００２１】
図示されている実施形態では、無線接続１５０ｆ及び１５０ｇは、例えばＷｉＭＡＸを用いる基地局（例えば、ＭＢＳ１２０及びｆＢＳ１９０）とエンドポイント１４０との間の無線リンクを表し、一方、無線接続１５０ｈは、例えばＷｉＦｉを用いるアクセスポイント１９５とエンドポイント１４０ｈとの間の無線リンクを表す。他の実施形態では、無線接続１５０は、他の無線技術及び／又はプロトコル（例えば、ＬＴＥ又はＬＴＥ−Ａ）を使用してよい。ＷｉＭＡＸ、ＬＴＥ又はＬＴＥ−Ａ  ＭＢＳの拡大範囲は、１又はそれ以上の中継局及びｆＢＳとともに、特定の場合において、ネットワーク１１０ａが、ＭＡＮに関連するより大きな地理的範囲をカバーすることを可能にする。
【００２２】
ノード１７０は、ネットワークコンポーネント、モデム、セッション境界コントローラ、ゲートキーパー、ＩＳＰＮゲートウェイ、ＷＳＰＮゲートウェイ、セキュリティ・ゲートウェイ、ＯＡＭ＆Ｐ（operation  administration  maintenance  and  provisioning）サーバ、ネットワークアクセスプロバイダ（ＮＡＰ）サーバ、基地局、カンフェレンス・ブリッジ、ルータ、ハブ、スイッチ、ゲートウェイ、エンドポイント、又は通信システム１００におけるパケットの交換を可能にする任意数の通信プロトコルを実施するその他ハードウェア、ソフトウェア、若しくは埋め込み型ロジックのいずれかの組み合わせを有してよい。例えば、ノード１７０ｅは、ゲートウェイを有してよい。ゲートウェイとして、ノード１７０ｅは、ネットワーク１１０ｂ、すなわち、ＰＳＴＮネットワークが、他の非ＰＳＴＮネットワーク（例えば、ネットワーク１１０ｄ、すなわち、ＩＰネットワーク）からの通信を送受信可能であるようにする。より具体的には、ゲートウェイとして、ノード１７０ｅは、ネットワーク１１０ｂ及び１１０ｄによって使用される様々なプロトコルの間の通信を変換してよい。
【００２３】
特定の実施形態において、ネットワーク１１０ｅは、無線サービスを提供する際に使用される様々なサーバ、ゲートウェイ、スイッチ、ルータ、及び他のノードを有してよい。例えば、ＷＳＰＮ１１０ｅは、移動度管理エンティティ（ＭＭＥ）１３０ｂ、セキュリティ・ゲートウェイ１３０ａ、サービング・ゲートウェイ１３０ｄ、及びホームノード・ゲートウェイ１３０ｃを有する。ＭＭＥ１３０ｂは、様々なエンドポイントから受信されたバインディングを記憶し、まとめ、及び／又は維持することに関与してよい。セキュリティ・ゲートウェイ１３０ａは、複数の、論理的に別個のセキュリティ・ゲートウェイを有してよい。ゲートウェイは論理的に分割されてよい一方、それらは物理的にコロケーション又は分割されてよい。セキュリティ・ゲートウェイ１３０ａは、インターネットを介して（例えば、ｆＢＳ１９０と対立するものとしてアクセスポイント１９５を介して）ＷＳＰＮ１１０ｅにアクセスするエンドポイントのために、及び／又はＷＳＰＮ１１０ｅにアクセスするｆＢＳのために、ＷＳＰＮ１１０ｅへセキュリティを提供してよい。特定の実施形態において、このセキュリティは、２つの論理的に分割されたセキュリティ・ゲートウェイによって提供されてよい。例えば、１つのセキュリティ・ゲートウェイは、インターネットに基づく接続に関与してよく、一方、第２の別個のセキュリティ・ゲートウェイは、ｆＢＳに基づく接続に関与してよい。
【００２４】
特定の実施形態において、セキュリティ・ゲートウェイ１３０ａは、入来するリクエスト、エンドポイント、及び／又はユーザを認証するために、（例えば、ＷＡＰＮ１１０ｅによって保持されているホーム加入者サーバ（ＨＳＳ）（図示せず。）が保持する）キーを使用してよい。幾つかの実施形態では、使用されるキーは、無線サービス（例えば、ＬＴＥ）にその無線サービスインターフェース（例えば、ＬＴＥ−Ｕｕインターフェース）を介してアクセスするためにエンドポイントによって使用される認証及び暗号化キーに関連してよい（又はそれから派生してよい）。
【００２５】
ホームノード・ゲートウェイ１３０ｃは、制御プレーン（Control-Plane）（例えば、ＳＩ−ＭＭＥインターフェース）のためのデータ集信器として機能してよい。幾つかの実施形態では、ホームノード・ゲートウェイ１３０ｃは、ホームノード・ゲートウェイ１３０ｃ及びサービング・ゲートウェイ１３０ｄへ向かうユーザプレーンを終端する。ホームノード・ゲートウェイ１３０ｃは、ホームノード・ゲートウェイ１３０ｃとサービング・ゲートウェイ１３０ｄとの間でユーザプレーンデータを中継するための中継機能を提供してよい。幾つかの実施形態では、ホームノード・ゲートウェイ１３０ｃは、ＮＡＳノード選択機能（ＮＮＳＦ）をサポートしてよい。特定のコンポーネントについてＷＳＰＮ１１０ｅ内で記載及び図示してきたが、ＷＳＰＮは異なった、より少ない、又は追加のコンポーネントを有してよい。
【００２６】
ネットワークアクセス装置１８０は、ハードウェア、コンピュータ読出可能な媒体に記憶されているソフトウェア、及び／又はハードウェアに組み込まれ若しくは別なふうに記憶されているエンコードされたロジック（例えば、ファームウェア）のあらゆる組み合わせによりｆＢＳ１９０及びアクセスポイント１９５へのホームネットワークアクセスを提供してよい。幾つかの実施形態では、ネットワークアクセス装置１８０は、ユーザのＩＳＰによって供給されてよい。例えば、ユーザのＩＳＰがケーブル会社である場合には、ＩＳＰはネットワークアクセス装置１８０としてケーブルモデムを供給してよい。他の例として、ユーザのＩＳＰが電話会社である場合には、ＩＳＰはネットワークアクセス装置１８０としてｘＤＳＬモデムを供給してよい。明らかなように、ネットワークアクセス装置１８０は、ｆＢＳ１９０及びアクセスポイント１９５以外の他のコンポーネントへのホームネットワークアクセスを提供してよい。例えば、ユーザは、自身のパーソナルコンピュータをネットワークアクセス装置１８０へ接続して、インターネットへアクセスしてよい。
【００２７】
アクセスポイント１９５は、ユーザのホーム・ロケーションに無線ネットワークアクセスを提供してよい。例えば、アクセスポイント１９５は、ＷｉＦｉルータ又はアクセスポイントであってよい。特定の実施形態において、アクセスポイント１９５は、ユーザのホーム・ロケーション内の多数の無線アクセスポイントの中の１つであってよい。アクセスポイント１９５は、ユーザの家の中の様々な装置への無線ネットワークアクセスを提供してよい。幾つかの実施形態では、アクセスポイント１９５は常にオンされていてよい。シナリオに依存して、ユーザは、アクセスポイント１９５と関連する１又はそれ以上のセキュリティ機能を可能にしてよい。例えば、装置がアクセスポイント１９５との無線接続を確立するために、装置は、アクセスポイント１９５にセキュリティ・キー（例えば、ＷＥＰ（Wired  Equivalent  Privacy）キー又はＷｉＦｉ保護アクセス（ＷＰＡキー））を提供する必要がありうる。幾つかの実施形態では、アクセスポイント１９５は、ＩＰ接続によりセキュリティ・ゲートウェイ１３０ａのセキュリティ・ゲートウェイの中の１つを介してＷＳＰＮ１１０ｅにアクセスしてよい。ＩＰ接続は、（例えば、ＩＰＳＥＣを用いて）保護されても又はされなくてもよい。
【００２８】
エンドポイント１４０及び／又はノード１７０は、ハードウェア、コンピュータ読出可能な媒体に記憶されたソフトウェア、及び／又はハードウェアに組み込まれ若しくは別なふうに記憶されているエンコードされたロジック（例えば、ファームウェア）のあらゆる組み合わせにより、データ又はネットワークサービスをユーザに提供してよい。例えば、エンドポイント１４０のいずれか１つは、携帯電話機、ＩＰ電話機、コンピュータ、ビデオモニタ、カメラ、パーソナルデータアシスタント、あるいは、ネットワーク１１０の１又はそれ以上を用いるパケット（又はフレーム）の通信をサポートするその他ハードウェア、ソフトウェア及び／又はエンコードされたロジックであってよい。エンドポイント１４０は、また、無人又は自動システム、ゲートウェイ、他の中間コンポーネント、あるいは、データ及び／又は信号を送受信することができる他の装置を有してよい。
【００２９】
図１は、特定の数及び構成のエンドポイント、接続、リンク、及びノードを表しているが、通信システム１００は、あらゆる数及び配置の、データ通信のためのそのようなコンポーネントも意図する。更に、通信システム１００の要素には、互いに対して中央に位置している（ローカル）又は通信システム１００の全体にわたって分布しているコンポーネントが含まれてよい。
【００３０】
図２は、特定の実施形態に従う、エンドポイントのより詳細な図を含むネットワークを表す。表されているネットワーク２００は、エンドポイント２１０、ｆＢＳ２４０、ネットワーク２５０、ネットワークアクセス装置２６０、ＷＳＰＮネットワーク２７０、及び無線アクセスポイント（ＷＡＰ）２８０を有する簡単なシナリオである。別の実施形態では、ネットワーク２００は、任意数の有線若しくは無線ネットワーク、ＭＢＳ、エンドポイント、ＲＳ、ｆＢＳ、及び／又は、有線若しくは無線接続のいずれを介するかに関わらずデータ及び／又は信号の通信を助け又は該通信に参加するその他コンポーネントであってよい。ネットワーク２００は、直交周波数分割多重アクセス（ＯＦＤＭＡ）や次世代無線システム（例えば、ＬＴＥ−Ａ及び８０２．１６ｍ）を含む（しかし、これらに限られない）多種多様な無線技術のいずれを有してもよい。
【００３１】
エンドポイント２１０は、１又はそれ以上のコンピュータシステムの１又はそれ以上の部分を有してよい。特定の実施形態において、そのようなコンピュータシステムの１又はそれ以上は、ここで記載又は図示されている１又はそれ以上の方法の１又はそれ以上のステップを実行してよい。特定の実施形態において、１又はそれ以上のコンピュータシステムは、ここで図示又は記載されている機能を提供してよい。幾つかの実施形態では、１又はそれ以上のコンピュータシステムで実行されるエンコードされたソフトウェアは、ここで記載又は図示されている１又はそれ以上の方法の１又はそれ以上のステップを実行し、あるいは、ここで記載又は図示されている機能を提供してよい。
【００３２】
エンドポイント２１０のコンポーネントは、あらゆる適切な物理的形態、構成、数、タイプ及び／又はレイアウトを有してもよい。限定されない例として、エンドポイント２１０は、埋め込み式コンピュータシステム、システム・オン・チップ（ＳＯＣ）、シングルボード・コンピュータシステム（ＳＢＣ）（例えば、コンピュータ・オン・モジュール（ＣＯＭ）又はシステム・オン・モジュール（ＳＯＭ））、デスクトップ型コンピュータシステム、ラップトップ若しくはノートブック型コンピュータシステム、対話型キオスク、メインフレーム、コンピュータシステムのメッシュ、携帯電話機、パーソナルデジタルアシスタント（ＰＤＡ）、サーバ、又はそれらの２若しくはそれ以上の組み合わせを有してよい。必要に応じて、エンドポイント２１０は、１又はそれ以上のコンピュータシステムを有しても、中央集権型又は分散型であっても、複数の場所に及んでも、複数の機械に及んでも、あるいは、クラウドに存在してもよい。クラウドは、１又はそれ以上のネットワークにおける１又はそれ以上のクラウドコンポーネントを有してよい。
【００３３】
必要に応じて、エンドポイント２１０は、ここで記載又は例示されている１又はそれ以上の方法の１又はそれ以上のステップを、実質的な空間的又は時間的な制限なしに、実行してよい。限定されない例として、エンドポイント２１０は、ここで記載又は例示されている１又はそれ以上の方法の１又はそれ以上のステップを、実時間において又はバッチモードにおいて、実行してよい。１又はそれ以上のエンドポイントは、必要に応じて、ここで記載又は例示されている１又はそれ以上の方法の１又はそれ以上のステップを、異なった時点で又は異なった場所で、実行してよい。
【００３４】
表されている実施形態では、エンドポイント２１０は、プロセッサ２１１、メモリ２１３、記憶装置２１５、インターフェース２１７、及びバス２１２を有してよい。これらのコンポーネントは、ＷＡＰ２８０を介してｆＢＳ２４０を電力節約モードから動作モードへ戻すのを助けるよう協働してよい。特定のネットワークが、特定の配置において特定の数の特定のコンポーネントを有するように表されているが、本開示は、あらゆる適切な配置においてあらゆる適切な数のあらゆる適切なコンポーネントを有するあらゆる適切なネットワーク２００を考えている。簡単のために、エンドポイント２１０のコンポーネントしか表されていない。ネットワーク２００内の他のコンポーネントは、エンドポイント２１０に関して後述されるコンポーネントの１又はそれ以上を有してよい。
【００３５】
プロセッサ２１１は、マイクロプロセッサ、コントローラ、又はその他適切なコンピュータ装置、リソース、あるいは、単独で又は他のコンポーネント（例えば、メモリ２１３）と共にｆＢＳ２４０をＷＡＰ２８０を介してアクティブにする能力を提供するよう動作可能なハードウェア、ソフトウェア及び／又はエンコードされたロジックの組み合わせであってよい。そのような機能は、ここで記載されている様々な特徴を提供することを含む。例えば、プロセッサ２１１は、いつエンドポイント２１０がユーザのホーム・ロケーション内にあるのか、及びｆＢＳ２４０が動作モードに戻って、その無線インターフェースをオンするようＷＡＰ２８０を介してリクエストをいつ送信すべきかを決定してよい。少なくとも部分的にプロセッサ２１１によって提供される更なる例及び機能については、以下で論じられる。
【００３６】
特定の実施形態において、プロセッサ２１１は、命令（例えば、コンピュータプログラムを構成するもの）を実行するためのハードウェアを有してよい。限定されない例として、命令を実行するよう、プロセッサ２１１は、内部レジスタ、内部キャッシュ、メモリ２１３、又は規則装置２１５から命令を取り出し（すなわち、フェッチし）、それらをデコードして実行し、次いで、１又はそれ以上の結果を内部レジスタ、内部キャッシュ、メモリ２１３、又は記憶装置２１５に書き込んでよい。
【００３７】
特定の実施形態において、プロセッサ２１１は、データ、命令、又はアドレスのための１又はそれ以上の内部キャッシュを有してよい。本開示は、必要に応じて、あらゆる適切な数のあらゆる適切な内部キャッシュを含むプロセッサ２１１を考えている。限定されない例として、プロセッサ２１１は、１又はそれ以上の命令キャッシュ、１又はそれ以上のデータキャッシュ、及び１又はそれ以上の変換索引バッファ（ＴＬＢ）を有してよい。命令キャッシュ内の命令は、メモリ２１３又は記憶装置２１５内の命令のコピーであってよい。命令キャッシュは、プロセッサ２１１によるそれらの命令の取り出しを速めることができる。データキャッシュ内のデータは、プロセッサ２１１における命令実行が働くメモリ２１３又は記憶装置２１５内のデータ、プロセッサ２１１におけるその後の命令実行によるアクセスのための又はメモリ２１３若しくは記憶装置２１５への書き込みのためのプロセッサ２１１で実行された前の命令の結果、あるいは、他の適切なデータのコピーであってよい。データキャッシュは、プロセッサ２１１により読出又は書込動作を速めることができる。ＴＬＢは、プロセッサ２１１のための仮想アドレス変換を速めることができる。特定の実施形態において、プロセッサ２１１は、データ、命令、又はアドレスのための１又はそれ以上の内部レジスタを有してよい。実施形態に依存して、プロセッサ２１１は、必要に応じて、あらゆる適切な数のあらゆる適切な内部レジスタを有してもよい。必要に応じて、プロセッサ２１１は、１又はそれ以上の算術論理演算ユニット（ＡＬＵ）を有しても、マルチコア・プロセッサであっても、１又はそれ以上のプロセッサ２１１を有しても、あるいは、その他適切なプロセッサであってもよい。
【００３８】
メモリ２１３は、次のものに限られないが、磁気媒体、光学媒体、ランダムアクセスメモリ（ＲＡＭ）、読出専用メモリ（ＲＯＭ）、フラッシュメモリ、リムーバブル媒体、あるいは、その他適切な局所的な又は遠隔のメモリコンポーネントを含むあらゆる形態の揮発性又は不揮発性のメモリであってよい。メモリ２１３は、コンピュータ読出可能な媒体に埋め込まれているソフトウェア、及び／又は、ハードウェアに組み込まれ若しくは別なふうに記憶されているエンコードされたロジック（例えば、ファームウェア）を含む、エンドポイント２１０によって利用されるあらゆる適切なデータ又は情報を記憶してもよい。特定の実施形態において、メモリ２１３は、プロセッサ２１１が実行する命令又はプロセッサ２１１が作用するデータを記憶するメインメモリを有してよい。限定されない例として、エンドポイント２１０は、記憶装置２１５又は他のソース（例えば、他のコンピュータシステム、他の基地局、又は遠隔トランシーバ）からメモリ２１３へ命令をロードしてよい。次いで、プロセッサ２１１は、メモリ２１３から内部レジスタ又は内部キャッシュへ命令をロードしてよい。命令を実行するよう、プロセッサ２１１は、内部レジスタ又は内部キャッシュから命令を取り出し、それらをデコードしてよい。命令の実行中又はその後に、プロセッサ２１１は、１又はそれ以上の結果（中間又は最終の結果であってよい。）を内部レジスタ又は内部キャッシュに書き込んでよい。次いで、プロセッサ２１１は、それらの結果の１又はそれ以上をメモリ２１３へ書き込んでよい。特定の実施形態において、プロセッサ２１１は、（記憶装置２１５又は他の場所とは対照的に）１又はそれ以上の内部レジスタ若しくは内部キャッシュにおける又はメモリ２１３における命令のみを実行してよく、且つ、（記憶装置２１５又は他の場所とは対照的に）１又はそれ以上の内部レジスタ若しくは内部キャッシュにおける又はメモリ２１３におけるデータに対してのみ動作してよい。
【００３９】
バス２１２は、エンドポイント２１０のコンポーネントを互いに結合するためのハードウェア、コンピュータ読出可能な媒体に埋め込まれているソフトウェア、及び／又は、ハードウェアに組み込まれ若しくは別なふうに記憶されているエンコードされたロジック（例えば、ファームウェア）のあらゆる組み合わせであってよい。限定されない例として、バス２１２は、ＡＧＰ（Accelerated  Graphics  Port）若しくは他のグラフィックスバス、ＥＩＳＡ（Enhanced  Industry  Standard  Architecture）バス、フロントサイドバス（ＦＳＢ）、ＨＴ（ＨＹＰＥＲＴＲＡＮＳＰＯＲＴ）インターコネクト、ＩＳＡ（Industry  Standard  Architecture）バス、ＩＮＦＩＮＩＢＡＮＤインターコネクト、ＬＰＣ（low-pin-count）バス、メモリバス、ＭＣＡ（Micro  Channel  Architecture）バス、ＰＣＩ（Peripheral  Component  Interconnect）バス、ＰＣＩ−Ｘ（PCI-Express）バス、ＳＡＴＡ（serial  advanced  technology  attachment）バス、ＶＬＢ（Video  Electronics  Standards  Association  local）バス、若しくはその他適切なバス、又はそれらの２若しくはそれ以上の組み合わせを有してよい。バス２１２は、必要に応じて、あらゆる数、タイプ及び／又は構成のバス２１２を有してもよい。特定の実施形態において、１又はそれ以上のバス２１２（夫々がアドレスバス及びデータバスを有する。）は、プロセッサ２１１をメモリ２１３へ結合してよい。バス２１２は、後述されるように、１又はそれ以上のメモリバスを有してよい。特定の実施形態において、１又はそれ以上のメモリ管理ユニット（ＭＭＵ）は、プロセッサ２１１とメモリ２１３との間に存在し、プロセッサ２１１によって要求されるメモリ２１３へのアクセスを助けることができる。特定の実施形態において、メモリ２１３はランダムアクセスメモリ（ＲＡＭ）を有してよい。このＲＡＭは、必要に応じて、揮発性メモリであってよい。必要に応じて、このＲＡＭは動的ＲＡＭ（ＤＲＡＭ）又は静的ＲＡＭ（ＳＲＡＭ）であってよい。更に、必要に応じて、このＲＡＭは、シングルポート若しくはマルチポートＲＡＭ、又はあらゆる適切なタイプのＲＡＭ若しくはメモリであってもよい。メモリ２１３は、必要に応じて、１又はそれ以上のメモリ２１３を有してよい。
【００４０】
特定の実施形態において、記憶装置２１５は、データ又は命令のための大容量記憶装置を有してよい。限定されない例として、記憶装置２１５は、ＨＤＤ、フロッピー（登録商標）ディスクドライブ、フラッシュメモリ、光ディスク、磁気光学ディスク、磁気テープ、若しくはユニバーサルシリアルバス（ＵＳＢ）ドライバ、又はそれらの２若しくはそれ以上の組み合わせを有してよい。記憶装置２１５は、必要に応じて、リムーバブル又は被リムーバブル（すなわち、固定された）媒体を有してよい。記憶装置２１５は、必要に応じて、エンドポイント２１０の内部又は外部にあってよい。特定の実施形態において、記憶装置２１５は不揮発性のソリッドステートメモリであってよい。特定の実施形態において、記憶装置２１５は読出専用メモリ（ＲＯＭ）を有してよい。必要に応じて、このＲＯＭは、マスクプログラムＲＯＭ、プログラム可能ＲＯＭ（ＰＲＯＭ）、消去可能ＰＲＯＭ（ＥＰＲＯＭ）、電気的消去可能ＰＲＯＭ（ＥＥＰＲＯＭ）、消去再書込ＲＯＭ（ＥＡＥＯＭ）、若しくはフラッシュメモリ、又はそれらの２若しくはそれ以上の組み合わせであってよい。記憶装置２１５は、あらゆる適切な物理的な形態をとってもよく、あらゆる適切な数又はタイプの記憶媒体を有してもよい。記憶装置２１５は、必要に応じて、プロセッサ２１１と記憶装置２１５との間の通信を助ける１又はそれ以上の記憶制御ユニットを有してよい。必要に応じて、記憶装置８０６は、１又はそれ以上の記憶装置８０６を有してよい。
【００４１】
特定の実施形態において、インターフェース２１７は、エンドポイント２１０、ｆＢＳ２４０、いずれかのネットワーク、いずれかのネットワーク装置、及び／又はその他のコンピュータシステムの間の通信（例えば、パケットに基づく通信）のための１又はそれ以上のインターフェースを提供するハードウェア、ソフトウェア又はそれら両方を有してよい。限定されない例として、通信インターフェース２１７は、イーサネット（登録商標）若しくは他の有線に基づくネットワークと通信するためのネットワークインターフェースコントローラ（ＮＩＣ）若しくはネットワークアダプタ、又は無線ネットワークと通信するための無線ＮＩＣ（ＷＮＩＣ）若しくは無線アダプタを有してよい。特定の実施形態において、インターフェース２１７は、２つの別個の無線インターフェースを有してよい。例えば、特定の実施形態において、インターフェース２１７は、ＷＡＰ２８０と通信するための第１の無線インターフェース（例えば、ＷｉＦｉインターフェース）と、ｆＢＳ２４０と通信するための第２の無線インターフェース（例えば、ＬＴＥ−Ａインターフェース）とを有してよい。
【００４２】
幾つかの実施形態では、インターフェース２１７は、１又はそれ以上のアンテナへ結合されている１又はそれ以上のラジオを有してよい。かかる実施形態では、インターフェース２１７は、無線装置（例えば、エンドポイント）へ無線接続を介して送出されるべきデジタルデータを受信することができる。ラジオは、デジタルデータを、適切な中心周波数、バンド幅パラメータ、及び伝送電力を有する無線信号に変換することができる。同様に、ラジオは、アンテナを介して受信された無線信号を、例えばプロセッサ２１１によって処理されるべきデジタルデータに変換することができる。
【００４３】
実施形態に依存して、インターフェース２１７は、あらゆるタイプのネットワークに適したあらゆるタイプのインターフェースであってもよい。限定されない例として、インターフェース２１７は、アドホック（ad  hoc）ネットワーク、パーソナルエリアネットワーク（ＰＡＮ）、ローカルエリアネットワーク（ＬＡＮ）、ワイドエリアネットワーク（ＷＡＮ）、メトロポリタンエリアネットワーク（ＭＡＮ）、又はインターネットの１若しくはそれ以上の部分、あるいは、それらの２又はそれ以上の組み合わせと通信してよい。それらのネットワークのうちの１又はそれ以上の１又はそれ以上の部分は、有線又は無線であってよい。一例として、エンドポイント２１０は、無線ＰＡＮ（ＷＰＡＮ）（例えば、ブルートゥースＷＰＡＮ）、Ｗｉ−Ｆｉネットワーク、Ｗｉ−ＭＡＸネットワーク、ＬＴＥネットワーク、ＬＴＥ−Ａネットワーク、携帯電話ネットワーク（例えば、ＧＳＭ（Global  System  for  Mobile  Communications）ネットワーク）、若しくはその他の適切な無線ネットワーク、又はそれらの２若しくはそれ以上の組み合わせと通信してよい。エンドポイント２１０は、必要に応じて、それらのネットワークのいずれか１つ又はそれ以上のためのあらゆる適切なインターフェース２１７を有してもよい。
【００４４】
幾つかの実施形態では、インターフェース２１７は、１又はそれ以上のＩ／Ｏデバイスの１又はそれ以上のインターフェースを有してよい。それらのＩ／Ｏデバイスの１又はそれ以上は、人とエンドポイント２１０との間の通信を可能にすることができる。限定されない例として、Ｉ／Ｏデバイスは、キーボード、キーパッド、マイクロホン、モニタ、マウス、プリンタ、スキャナ、スピーカ、静止カメラ、スタイラス、タブレット、タッチスクリーン、トラックボール、ビデオカメラ、他の適切なＩ／Ｏデバイス、又はそれらの２若しくはそれ以上の組み合わせを有してよい。Ｉ／Ｏデバイスは、１又はそれ以上のセンサを有してよい。特定の実施形態は、あらゆる適切なタイプ及び／又は数のＩ／Ｏデバイスと、それらのためのあらゆる適切なタイプ及び／又は数のインターフェース２１７とを有してよい。必要に応じて、インターフェース２１７は、プロセッサ２１１がそれらのＩ／Ｏデバイスの１又はそれ以上を駆動することを可能にする１又はそれ以上のデバイス又はエンコードされたソフトウェアドライバを有してよい。インターフェース２１７は、必要に応じて、１又はそれ以上のインターフェース２１７を有してよい。
【００４５】
ここで、コンピュータ読出可能な記憶媒体との言及は、１又はそれ以上の有形なコンピュータ読出可能な記憶媒体の処理構成を含む。限定されない例として、コンピュータ読出可能な記憶媒体は、必要に応じて、半導体に基づく又は他の集積回路（ＩＣ）（例えば、フィールドプログラマブルゲートアレイ（ＦＰＧＡ）又は特定用途向けＩＣ（ＡＳＩＣ））、ハードディスク、ＨＤＤ、ハイブリッドハードドライブ（ＨＨＤ）、光ディスク、光ディスクドライブ（ＯＤＤ）、磁気光学ディスク、磁気光学ドライブ、フロッピー（登録商標）ディスク、フロッピー（登録商標）ディスクドライブ（ＦＤＤ）、磁気テープ、ホログラフィック記憶媒体、ソリッドステートドライブ（ＳＳＤ）、ＲＡＭドライブ、セキュアデジタル（ＳＤ）カード、ＳＤドライブ、フラッシュメモリカード、フラッシュメモリドライブ、若しくはその他の適切なコンピュータ読出可能な記憶媒体、又はそれらの２若しくはそれ以上の組み合わせを有してよい。ここで、コンピュータ読出可能な記憶媒体との言及は、３５Ｕ．Ｓ．Ｃ第１０１条において保護対象となっていない如何なる媒体も除外する。ここで、コンピュータ読出可能な記憶媒体との言及は、３５Ｕ．Ｓ．Ｃ第１０１条において保護対象となっていない限りにおいて、信号伝送の一時的な形態（例えば、伝播する電気的又は電磁的な信号自体）を除外する。
【００４６】
特定の実施形態は、あらゆる適切な記憶装置を実装する１又はそれ以上の持続性のコンピュータ読出可能な記憶媒体を有してよい。特定の実施形態において、コンピュータ読出可能な記憶媒体は、プロセッサ２１１の１又はそれ以上の部分（例えば、１又はそれ以上の内部レジスタ又はキャッシュ）、メモリ２１３の１又はそれ以上の部分、記憶装置２１５の１又はそれ以上の部分、あるいは、それらの組み合わせを実装する。特定の実施形態において、コンピュータ読出可能な記憶媒体はＲＡＭ又はＲＯＭを実装する。特定の実施形態において、コンピュータ読出可能な記憶媒体は、揮発性又は持続性のメモリを実装する。特定の実施形態において、１又はそれ以上のコンピュータ読出可能な記憶媒体は、エンコードされたソフトウェアを包含する。
【００４７】
ここで、エンコードされたソフトウェアとの言及は、必要に応じて、１又はそれ以上のアプリケーション、バイトコード、１又はそれ以上のコンピュータプログラム、１又はそれ以上の実行ファイル、１又はそれ以上の命令、ロジック、マシンコード、１又はそれ以上のスクリプト、あるいは、ソースコードを包含してよく、それらは、コンピュータ読出可能な記憶媒体において記憶又はエンコードされている。特定の実施形態において、エンコードされたソフトウェアは、コンピュータ読出可能な記憶媒体において記憶又はエンコードされている１又はそれ以上のアプリケーション・プログラミング・インターフェース（ＡＳＩ）を有する。特定の実施形態は、あらゆる適切なタイプ又は数のコンピュータ読出可能な記憶媒体において記憶又はエンコードされているあらゆる適切なプログラミング言語又はプログラミング言語の組み合わせにおいて記述され又は別なふうに表現されるあらゆる適切なエンコードされたソフトウェアを使用してもよい。特定の実施形態において、エンコードされたソフトウェアは、ソースコード又はオブジェクトコードとして表されてよい。特定の実施形態において、エンコードされたソフトウェアは、より高度なプログラミング言語（例えば、Ｃ、Ｐｅｒｌ、又はそれらの適切な拡張）において表される。特定の実施形態において、エンコードされたソフトウェアは、より低レベルのプログラミング言語（例えば、アセンブリ言語（すなわち、マシンコード））において表される。特定の実施形態において、エンコードされたソフトウェアは、ＪＡＶＡ（登録商標）において表される。特定の実施形態において、エンコードされたソフトウェアは、ＨＴＭＬ（Hyper  Text  Markup  Language）、ＸＭＬ（Extensible  Markup  Language）、又は他の適切なマークアップ言語において表される。
【００４８】
ネットワーク２５０は、１又はそれ以上の異なったオペレータによって操作される１又はそれ以上の別個の、しかし相互接続されているネットワークを有してよい。例えば、ネットワーク２５０は、複数のＩＳＰのための別個のネットワークを有してよい。ユーザは、自身のホーム・ロケーションでの自身のホームネットワークアクセスのために自身のＩＳＰのネットワークを使用してよい。ユーザにホームネットワークアクセスを提供することにおいて、ＩＳＰのネットワークは、モデム、サーバ、及びゲートウェイ（例えば、ＩＳＰゲートウェイ）を有してよい。ネットワーク２５０は、インターネット、ＬＡＮ、ＷＡＮ、ＭＡＮ、ＰＳＴＮ、又はこれらの何らかの組み合わせを含む（しかし、これらに限られない。）任意数の更なるネットワークを有してよい。
【００４９】
ＷＳＰＮ２７０は、無線サービスプロバイダのネットワークを有してよい。ＷＳＰＮ２７０は、広い地理的な範囲にわたって無線サービスをユーザに提供するＷＳＰの無線ネットワークをサポートすることができる。無線ネットワークは、例えば、ＷｉＭＡＸ、ＬＴＥ−Ａ、又はＬＴＥといった技術及び／又はプロトコルをサポートしてよい。ＷＳＰＮ２７０は、ＷＳＰＮ１１０ｅに関して上述されたあらゆるコンポーネントを含め、サーバ、ＭＭＥ、ゲートウェイ、サービング・ゲートウェイ、セキュリティ・ゲートウェイ、及び他のコンポーネントを有してよい。
【００５０】
ｆＢＳ２４０は、本質的に、ユーザのホーム・ロケーション内で無線サービスを提供する小規模基地局であってよい。ｆＢＳ２４０の実施形態及び構成に依存して、それは公衆用又は個人用のいずれであってもよい。ｆＢＳ２４０からＷＳＰＮへの帰路接続は、ユーザのＩＳＰによってネットワークアクセス装置２６０を介して提供されるユーザのホームネットワークアクセスを使用してよい。ＷＳＰＮ２７０は、ｆＢＳ２４０によって使用される様々な特性及び設定（例えば、周波数、チャネル及び／又は電力）を設定するために、この帰路接続を使用してよい。特定の実施形態において、帰路接続は、エンドポイント２１０からリクエストを受信した後、ｆＢＳ２４０の無線インターフェースをアクティブ又は非アクティブにし、及び／又はｆＢＳ２４０を動作モードに戻すために、ＷＳＰＮ２７０によって使用されてよい。
【００５１】
ネットワークアクセス装置２６０は、ワイヤライン（wireline）・ルータ及びＷｉＦｉ（８０２．１１）アクセスポイント等のスタンドアローン型の装置で見受けられる様々な特性及び／又は機能のいずれを有してもよい。特定の実施形態において、ＷＡＰ２８０及びネットワークアクセス装置２６０は、単一の装置を有してよい。例えば、ＩＳＰは、ビルトイン型の無線ルータをケーブルモデムに備えてよい。複合型装置は、ユーザに有線及び無線の両方のホームネットワークアクセスを提供してよい。
【００５２】
特定の実施形態において、ＷＡＰ２８０は、ユーザのホーム・ロケーションに無線ネットワークアクセスを提供してよい。例えば、ＷＡＰ２８０は、ＷｉＦｉルータ又はアクセスポイントであってよい。特定の実施形態において、ＷＡＰ２８０は、ホーム・ロケーション内の多数の無線アクセスポイントの１つであってよい。ＷＡＰ２８０は、無線ネットワークアクセスをユーザの家の中の様々な装置へ提供してよい。幾つかの実施形態では、ＷＡＰ２８０は常にオンされていてよい。シナリオに依存して、ユーザは、ＷＡＰ２８０に関連する１又はそれ以上のセキュリティ機能を有効にしてよい。例えば、装置がＷＡＰ２８０との無線接続を確立するために、装置はセキュリティ・キー（例えば、ＷＥＰキー又はＷＰＡキー）を知っている必要がある。
【００５３】
以下の例は、これらのコンポーネントが特定の実施形態の機能の幾つかを提供するためにどのように互いに協働するのかを説明するのに役立つ。この例のために、ｆＢＳ２４０はＬＴＥホームノードＢであり、ＷＡＰ２８０はＷｉＦｉに基づくＷＡＰであるとする。他の例は、異なるＷＡＰ及び／又はｆＢＳを有してよい。この例では、インターフェース２１７は、ＷｉＦｉインターフェース及びＬＴＥインターフェースを有する。従って、エンドポイント２１０は、ＷＡＰ２８０及びｆＢＳ２４０の両方との無線接続を確立することができる。
【００５４】
シナリオに依存して、ユーザは、ｆＢＳ２４０にＣＳＧを設定してよい。ＣＳＧは、ｆＢＳ２４０へのアクセスを、ＣＳＧにおいてユーザによって指定された装置に制限することができる。エンドポイント２１０は、ＣＳＧのメンバーであってよい。特定の実施形態において、ユーザは、また、ＣＳＧに含まれる各エンドポイント又は装置に、ＷＡＰ２８０にアクセスするための適切なセキュリティを設定してよい。セキュリティ・キーは、ｆＢＳ２４０が動作モードに戻るよう要求することをエンドポイントが認められることを確かにするために、使用されてよい。
【００５５】
エンドポイント２１０がｆＢＳ２４０へ接続することができると、上層メッセージ交換が起こり、エンドポイント２１０は、ｆＢＳ２４０がアクセス可能なｆＢＳであると知る。記憶装置２１５は、アクセス可能なｆＢＳのレジスタに、ｆＢＳ２４０に関連するセルＩＤ（例えば、２８ビットのＥ−ＵＴＲＡＮセル又はＥＣＩ）を格納してよい。エンドポイント２１０とＷＡＰ２８０との間の他のメッセージ交換は、エンドポイント２１０にＷＡＰ２８０のためのＭＡＣアドレスを提供してよい。このＭＡＣアドレスは記憶装置２１５に記憶されてよい。
【００５６】
エンドポイント２１０が同時にＷＡＰ２８０及びｆＢＳ２４０の両方へ接続される場合に、プロセッサ２１１は、ＷＡＰ２８０及びｆＢＳ２４０のバインディングを確立してよい。バインディングは、ＷＡＰ２８０及びｆＢＳ２４０がユーザのホーム・ロケーション内に位置することを示す。これは、エンドポイント２１０が略同時にｆＢＳ２４０及びＷＡＰ２８０の両方へ接続することができるという事実に基づきうる。特定の実施形態において、バインディングは、次の形態、すなわち、＜ＷＡＰ  ＭＡＣアドレス，ｆＢＳ  ＥＣＩ＞を有してよい。バインディングは、記憶装置２１５によって記憶され、インターフェース２１７を介してＷＳＰＮ２７０へ送信されてよく、それにより、バインディングは、ＷＳＰによって登録され得る。エンドポイント２１０がｆＢＳ２４０へも接続されている間にアクセスすることができるＷＡＰが複数存在する場合には、複数のバインディングが発生し、ＷＳＰへ送信されてよい。ＷＡＰ及びｆＢＳの各対は、それ自体のバインディングを有してよい。
【００５７】
特定の実施形態において、バインディングは、ＷＳＰＮ２７０内のＭＭＥへ向けられた管理メッセージとして送信されてよい。管理メッセージは、ＷＡＰ２８０及びｆＢＳ２４０がコロケーションされることと、それらが互いに結合されることをエンドポイント２１０が要求していることとを示してよい。ＭＭＥは、メッセージを認証してよく、認証された場合には、ＭＭＥは、エンドポイント２１０のバインディングを登録してよい。これは、エンドポイント２１０からの複数のバインディングに関して行われてよい。
【００５８】
特定の実施形態において、バインディングは、限られた存続期間（例えば、１０日）を有してよい。バインディングの存続期間の満了の時に、エンドポイント２１０はそれを削除してよい。バインディングは、ＷＡＰ２８０及びｆＢＳ２４０が依然としてユーザのホーム・ロケーションにサービスを提供していると決定すると、更新されよく、あるいは、エンドポイント２１０によって削除されないようにされてもよい。幾つかの実施形態では、エンドポイント２１０は、最初のバインディングと同じ処理を経ることによって、バインディングを更新してよい。限られた存続期間は、バインディングが無期限にエンドポイント２１０によって記憶されている可能性を減らしうる。次いで、ＷＡＰ２８０又はｆＢＳ２４０が無効にされ又は他の場所へ動かされる場合には、エンドポイント２１０は、ＷＡＰ２８０及びｆＢＳ２４０が依然としてコロケーションされていると誤って推測しない。特定の状況において、バインディングがエンドポイント２１０によって削除された場合に、エンドポイント２１０は、ＭＭＥが同じバインディングを削除すべきことを示すメッセージをＭＭＥへ送信してよい。これは、エンドポイント２１０とＭＭＥとの間で同期してバインディングを保持するのに役立つ。特定の実施形態において、バインディングの限られた存続期間は、また、ＭＭＥによって記憶されているバインディングにも適用されてよい。
【００５９】
ｆＢＳ２４０がいずれかのアクティブな認証されたエンドポイント（例えば、ＣＳＧの一部であるエンドポイント）を検出することができない場合に、ｆＢＳ２４０は、その無線インターフェースをオフして、電力節約モードに入ることがある。ｆＢＳ２４０は、エンドポイントがそれら自体オフされ（又は、別なふうに、それらのＬＴＥ無線インターフェースを非アクティブにされ）、あるいは、ｆＢＳ２４０の無線範囲外にあるために、いずれかのアクティブな認証されたエンドポイントを検出することができないことがある。無線インターフェースをオフすることによって、ｆＢＳ２４０は、エネルギを節約し且つ他の基地局へのインターフェースを減らすよう、電力節約モードに入ってよい。しかし、無線インターフェースがオフされるので、エンドポイント２１０が無線インターフェースをオンし直すよう無線により直接にｆＢＳ２４０へメッセージを送信する方法はない。
【００６０】
ｆＢＳ２４０の無線インターフェースがオフされていることで、エンドポイント２１０がｆＢＳ２４０を探す場合（例えば、エンドポイント２１０が家に戻り、ＭＢＳからｆＢＳ２４０へのハンドオーバーを望む場合、又はエンドポイント２１０がオンされた場合）に、エンドポイント２１０はｆＢＳ２４０からの信号を見つけ出すことができないことがある。しかし、エンドポイントはユーザの家にあり、ＷＡＰ２８０は常にオンされているので、インターフェース２１７はＷＡＰ２８０との接続を確立することができる。幾つかの実施形態では、エンドポイント２１０のＷｉＦｉインターフェースは、例えば、ＬＴＥ信号が利用可能でない場合又は特定のサービス閾値を下回る場合のような特定の条件に基づき、アクティブにされてよい。インターフェース２１７がＷＡＰ２８０を検出するがｆＢＳ２４０を検出しない場合に、プロセッサ２１１は、エンドポイント２１０が家にあり、ｆＢＳ２４０が電力節約モードにあると認識してよい。次いで、プロセッサ２１１は、動作モードに戻るようｆＢＳ２４０に要求するメッセージを生成してよい。メッセージはＷＡＰ２８０を介してＷＳＰＮ２７０へ送信されてよい。
【００６１】
次のシナリオは、エンドポイント２１０がｆＢＳ２４０をアクティブにする特定の例について説明する。このシナリオにおいては、インターフェース２１７のＷｉＦｉインターフェース（又は、インターネットへアクティブに接続されている、ＷｉＦｉインターフェースのその他インターフェース）が、メッセージをＷＳＰＮ２７０へ送信するために使用されてよい。メッセージは、ＷＳＰＮ２７０内で、バインディングを記憶しているＭＭＥへ向けられてよい。メッセージは、ＷＡＰ２８０とｆＢＳ２４０との間のバインディングを含んでよく、ＷＳＰＮ２７０がｆＢＳ２４０を動作モードに戻すよう要求してよい。幾つかの実施形態では、エンドポイント２１０は、エンドポイント２１０とＭＭＥとの間で共有されるキーを用いてメッセージを暗号化（及び／又は認証）してよい。幾つかの実施形態では、エンドポイント２１０は、また、ＷＳＰＮ２７０と関連するセキュリティ・ゲートウェイ（例えば、ｆＢＳ２４０にサービスを提供するセキュリティ・ゲートウェイ）によりメッセージを暗号化（及び／又は認証）してよい。このセキュリティ・ゲートウェイは、インターネットを通じてＷＳＰＮ２７０と通信するためにエンドポイントによって使用されるセキュリティ・ゲートウェイと同じであっても、又は別のものであってもよい。セキュリティ・キーは、エンドポイント２１０とセキュリティ・ゲートウェイとの間で共有されてよい。幾つかの実施形態では、同じキーが、セキュリティ・ゲートウェイ及びＭＭＥのために再利用されてよい。
【００６２】
エンドポイント２１０及びエンドポイント２１０からのメッセージにおいて特定されるバインディングが確認及び／又は認証されると、ＭＭＥは、ＷＳＰＮ２７０内でホームノードＢゲートウェイ（ＬＴＥ技術用語）へリクエストを送信してよい。リクエストは、（例えば、ｆＢＳ２４０に関連する）バインディング・メッセージにおいて提供されるｆＢＳ  ＩＤを含んでよい。次いで、ホームノードＢゲートウェイは、ｆＢＳ２４０を動作モードに戻す起動コマンドをｆＢＳ２４０へ送信してよい。
【００６３】
特定の実施形態において、セキュリティ・ゲートウェイは、エンドポイント２１０が、そのＬＴＥインターフェースを使用していない場合に、ＷＳＰＮ２７０と通信するために使用するインターフェースを有してよい。特定の実施形態において、ＷＳＰＮ２７０は、２つの別個のセキュリティ・ゲートウェイを使用してよい。一方は、非ＬＴＥインターフェースから送信される通信用であり、他方は、ｆＢＳセキュリティ用である。２つのセキュリティ・ゲートウェイは、同じ又は異なったサーバで実行されてよい。特定の実施形態において、セキュリティ・ゲートウェイのインターフェースは、エンドポイントが自身のＬＴＥ（又はＷｉＭＡＸ）インターフェースを使用していない場合にエンドポイントへ提供される様々な特性及び機能に関して使用されてよい。例えば、インターフェースは、保守運用管理（ＯＡＭ（Operation,  Administration  and  Maintenance））のために使用されてよい（例えば、エンドポイント・ファームウェアのダウンロードや、ほとんど又は全く補償範囲がないことの報告、等）。また、それは、ＷＳＰＮ２７０がその無線サービスを使用する必要なしに通信を受け取ることを可能にすることによって、ＷＳＰのためのスペクトル利用を節約してよい。
【００６４】
特定の実施形態において、ＷＳＰは、異なるユーザが関連するｆＢＳ及び／又はＷＡＰの位置を決定するために、記憶されているバインディングを使用してよい。これは、ｆＢＳ、ＷＡＰ、又はそれら両方の複合体の位置に基づくロケーションベースのサービスの正確性及び／又は利用可能性を高めることを可能にすることができる。例えば、ＷＳＰは、ｆＢＳ２４０の位置を決定することができ、その場合に、ＷＳＰがＷＡＰ２８０とのバインディングを受け入れるならば、ＷＳＰはＷＡＰ２８０の位置を知ることができる。次いで、ＷＳＰは、ＷＳＰがＷｉＦｉに基づく位置決めサービスのために使用することができるＷｉＦｉロケーション・データベースを構築するために、この位置情報を用いてよい。
【００６５】
ここまでは、複数の異なる実施形態及び特徴について提示してきた。特定の実施形態は、動作ニーズ及び／又はコンポーネント制限に依存して、それらの特徴のうちの１又はそれ以上を組み合わせてよい。これは、様々な組織及びユーザのニーズに対するネットワークの素晴らしい適応能力を可能にしうる。例えば、特定の実施形態において、ＷＡＰ２８０は、ネットワークアクセス装置２６０と組み合わされてよい。幾つかの実施形態は、追加の又は異なった特徴を含んでよい。特定の実施形態において、エンドポイント２１０の機能は、追加の又は異なった装置によって提供されてよい。
【００６６】
図３は、特定の実施形態に従う、フェムト基地局をアクティブにする方法を表す。この方法に関し、ユーザのエンドポイントは２つの無線インターフェース、例えば、ＬＴＥインターフェース及びＷｉＦｉインターフェースを有しているとする。他のエンドポイントは、他の及び／又は更なるインターフェースを有してよい。また、ユーザは、ＬＴＥ  ｆＢＳ及びＷｉＦｉアクセスポイントの両方によってアクセス可能であるホームネットワークアクセスを有しているとする。この方法に関し、また、ｆＢＳは、ＷＳＰＮによって適切に認証されてアクティブにされるとする。更に、この方法で使用されるエンドポイントは、ｆＢＳにおいて設定されるＣＳＧのメンバーであるとする。
【００６７】
方法は、エンドポイントがＷＡＰとのＷｉＦｉ接続を確立することで、ステップ３１０から始まる。ＷＡＰは、ユーザのホーム・ロケーション内の様々な装置及び／又はコンポーネントへ無線ホームネットワークアクセスを提供してよい。幾つかの実施形態では、ＷＡＰは、ユーザの無線ネットワーク又はホームネットワークアクセスへのアクセスを制限及び／又は制御するために１又はそれ以上のセキュリティ機能を使用してよい。例えば、ＷＡＰは、接続を確立するためにＷＰＡキーを必要としてよい。
【００６８】
ステップ３１５で、エンドポイントは、ｆＢＳとのＬＴＥ接続を確立する。ｆＢＳは、近隣のマクロ基地局と同じ許可スペクトル、及び／又はユーザにｆＢＳを提供したＷＳＰによって許可されている同じ許可スペクトルを用いて、動作してよい。特定の実施形態において、ｆＢＳは、ユーザのエンドポイントを認証して、エンドポイント及び／又はユーザがＣＳＧ内にあると確認してよい。特定の実施形態において、ＷＳＰＮの１又はそれ以上のコンポーネントは、ユーザのエンドポイント及び／又はｆＢＳを認証してよい。
【００６９】
ステップ３２０で、エンドポイントは、ＷＡＰとｆＢＳとを結び付けるバインディング・メッセージを生成する。特定の実施形態において、バインディング・メッセージは、ＷＡＰに関連するＭＡＣアドレスと、ｆＢＳに関連するｆＢＳ識別子とを含んでよい。一般的に、バインディング・メッセージにおいて示されるバインディングは、ＷＡＰ及びｆＢＳが両方ともユーザのホーム・ロケーション内にあることを示してよい。特定の実施形態において、ｆＢＳ及びＷＡＰがコロケーションされていることを確かにするよう、エンドポイントは、略同時にＷＡＰ及びｆＢＳの両方との接続を確立することができる場合に、バインディング・メッセージを生成してよい。
【００７０】
ステップ３２５で、エンドポイントは、バインディング・メッセージをＷＳＰＮへ送信する。幾つかの実施形態では、バインディング・メッセージは、セキュア接続を介して送信されてよい。例えば、バインディング・メッセージはＰＧＰを用いて送信されてよい。実施形態及び／又はシナリオに依存して、バインディング・メッセージは、ＷＡＰ又はｆＢＳを介して送信されてよい。幾つかの実施形態では、ＷＳＰＮは、バインディング・メッセージを受信して、それをＷＳＰＮ内の的確なコンポーネント（例えば、ＭＭＥ）へ送ることができるセキュリティ・ゲートウェイを有してよい。特定の実施形態において、セキュリティ・ゲートウェイは、少なくとも２つの異なったインターフェース（１つは、ｆＢＳから通信を受信するためのものであり、もう１つは、（例えば、ＷＳＰの基地局を介して送信されることなしに）インターネットを介してエンドポイントからの通信を受信するためのものである。）を有してよい。
【００７１】
ステップ３３０で、バインディングは記憶される。バインディング・メッセージを介して送信されたバインディングは、エンドポイント及びＷＳＰＮの両方で記憶されてよい。例えば、ＷＳＰＮ内のＭＭＥは、アクティブなバインディングをリストアップするテーブル、データベース、又は他の編成のデータを含んでよい。幾つかの実施形態では、バインディングは、時間スタンプとともに記憶されてよい。時間スタンプは、バインディングが終了したかどうかを（例えば、バインディングが生成又は更新されてからどれくらい経ったかに基づき）決定するために使用されてよい。
【００７２】
ステップ３３５で、記憶されているバインディングが終了したかどうかに関して決定がなされる。決定は、エンドポイント、ＷＳＰＮ、又はその両方において行われてよい。バインディングが削除されてしまうことを回避するために、エンドポイントは、ｆＢＳが電力節約モードにないと決定される場合（ステップ３４５）に、バインディングを周期的に更新してよい（例えば、ステップ３１０から３３０を繰り返す。）。バインディングが終了したと決定され、エンドポイントがＷＡＰ及びｆＢＳの両方へ接続することができない場合には、ステップ３４０で、バインディングは削除される。最初に、バインディングは、エンドポイント、ＷＳＰＮ又はその両方によって削除されてよい。幾つかの実施形態では、バインディングが削除されると、削除装置（例えば、エンドポイント又はＷＳＰＮ）は、バインディングが削除されたことを警告するメッセージを他の装置へ送信してよい。これは、バインディングが装置間で同期化されることを確かにしうる。
【００７３】
ステップ３４５で、エンドポイントは、ｆＢＳが電力節約モードにあるかどうかに関して決定を行う。ｆＢＳは、ＣＳＧ内の全てのエンドポイントがオフされた（若しくは、別なふうに、それらのＬＴＥインターフェースを非アクティブにしている）又はｆＢＳの範囲外に移動しているために、電力節約モードに入っていることがある。ｆＢＳが動作モードにある場合には、エンドポイントは、バインディングを更新して、有効にｆＢＳ及びＷＡＰを結び付け直すよう、ステップ３１０から３３０を繰り返してよい。
【００７４】
ｆＢＳが電力節約モードにある場合に、ステップ３５０で、エンドポイントは、ｆＢＳが動作モードに戻るよう要求するリクエストをＷＳＰＮへ送信してよい。リクエストは、エンドポイントがＷＡＰを検出する場合に生成されて送信されてよく、エンドポイントがユーザのホーム・ロケーションにあり且つｆＢＳの範囲内にあることを示す。特定の実施形態において、リクエストは、ＷＳＰＮが、ステップ３２５でエンドポイントによって送信されてＷＳＰＮによって受信されたバインディングを識別するために使用することができるバインディング又は他の何らかの指示を含んでよい。ＷＳＰＮは、リクエスト受信すると、それが有効なリクエストであることを確認し、指示されたバインディングを見つけ出してよい。
【００７５】
ステップ３５５で、ｆＢＳは動作モードに入る。これは、ｆＢＳが動作モードに入るよう要求するリクエストをＷＳＰＮがｆＢＳへ送信することを含んでよい。ｆＢＳへ送信されるリクエストは、ステップ３５０でリクエストを受信するために使用されたインターフェースとは異なるインターフェースを使用してよい。ｆＢＳがＷＳＰＮからリクエストを受信した場合には、ｆＢＳは動作モードに戻り、それにより、エンドポイントがｆＢＳとのＬＴＥ接続を確立することを可能にする。
【００７６】
図３に表されている実施形態は、特定の順序において表された特定の数のステップを含むが、当然に、他の実施形態は、より多い、より少ない又は異なったステップを有してよく、ステップは並べ替えられてよい。例えば、幾つかの実施形態では、エンドポイントは、ホーム・ロケーション内の第２の更なるＷＡＰに関してステップ３１０から３３０を繰り返してよい。他の例として、ステップ３１０及び３１５の順序は、エンドポイントが最初にｆＢＳへ接続し、次にＷＡＰへ接続するというシナリオにおいては入れ替わってよい。
【００７７】
特定の実施形態について詳細に記載してきたが、当然に、様々な他の変更、置換、及び代替が、特定の実施形態の精神及び適用範囲から外れることなしに、それらの実施形態に対してなされてよい。例えば、実施形態は、例えば、エンドポイント、ｆＢＳ、及びＭＢＳといった、通信システム１００内に含まれる多数の要素を参照して記載されてきたが、これらの要素は、特定のルーティング・アーキテクチャ又はニーズに適応するために、組み合わされ、並べ替えられ、又は位置付けられてよい。更に、それらの要素のいずれかは、必要に応じて通信システム１００又は互いに対して別個の外部コンポーネントとして設けられてよい。特定の実施形態は、それらの要素及び該要素内のコンポーネントの配置において高い柔軟性を備えている。
【００７８】
多数の他の変更、置換、変形、代替及び改良は、当業者によって確認され得、本発明は、全てのそのような変更、置換、変形、代替及び改良を、添付の特許請求の範囲の精神及び適用範囲内にあるように包含するよう意図される。
【００７９】
以上の実施形態に関し、更に以下の付記を開示する。
（付記１）
フェムト基地局をアクティブにする方法であって、
少なくとも１つのアクセスポイントをコロケーションされているフェムト基地局と結び付ける少なくとも１つのバインディング・メッセージを送信するステップと、
前記コロケーションされているフェムト基地局が電力節約モードにあると決定するステップと、
前記コロケーションされているフェムト基地局が動作モードに入るよう要求するリクエストを前記アクセスポイントを介して送信するステップと
を有する方法。
（付記２）
前記少なくとも１つのバインディング・メッセージを送信するステップは、少なくとも１つのバインディング・メッセージを無線サービスプロバイダのネットワークへセキュア接続を介して送信することを有する、
付記１に記載の方法。
（付記３）
前記少なくとも１つのアクセスポイントとの第１の接続を確立するステップと、
前記フェムト基地局との第２の接続を確立するステップと、
前記第１の接続及び前記第２の接続を同時に保つと、前記少なくとも１つのバインディング・メッセージを生成するステップと
を更に有する付記１に記載の方法。
（付記４）
前記少なくとも１つのアクセスポイントを前記コロケーションされているフェムト基地局と結び付け直す少なくとも１つの更なるバインディング・メッセージを周期的に送信するステップ
を更に有する付記１に記載の方法。
（付記５）
前記バインディング・メッセージは、前記少なくとも１つのアクセスポイントと関連づけられたＭＡＣアドレスと、前記コロケーションされているフェムト基地局と関連づけられたフェムト基地局識別子とを含む、
付記１に記載の方法。
（付記６）
少なくとも１つの更なるアクセスポイントを前記コロケーションされているフェムト基地局と結び付ける少なくとも１つの更なるバインディング・メッセージを送信するステップ
を更に有する付記１に記載の方法。
（付記７）
フェムト基地局をアクティブにする方法であって、
アクセスポイント及び該アクセスポイントとともにコロケーションされているフェムト基地局を識別するバインディング・メッセージをエンドポイントから受信するステップと、
前記バインディング・メッセージに基づく第１のバインディングを記憶するステップと、
前記フェムト基地局が動作モードに入るよう要求する第１のリクエストを、前記第１のバインディングを有する前記エンドポイントから受信するステップと、
前記第１のリクエストとは異なるインターフェースを用いて、前記フェムト基地局が動作モードに入るよう要求する第２のリクエストを送信するステップと
を有する方法。
（付記８）
前記エンドポイントを認証するステップ
を更に有する付記７に記載の方法。
（付記９）
前記第１のバインディングが終了したと決定するステップと、
前記第１のリクエストを削除するステップと
を更に有する付記７に記載の方法。
（付記１０）
前記バインディング・メッセージは、前記アクセスポイントと関連づけられたＭＡＣアドレスと、前記フェムト基地局と関連づけられたフェムト基地局識別子とを含む、
付記７に記載の方法。
（付記１１）
フェムト基地局をアクティブにするシステムであって、
少なくとも１つのアクセスポイントをコロケーションされているフェムト基地局と結び付ける少なくとも１つのバインディング・メッセージを送信するよう構成されるインターフェースと、
前記インターフェースへ結合され、前記コロケーションされているフェムト基地局が電力節約モードにあると決定するよう構成されるプロセッサと
を有し、
前記インターフェースは、更に、前記コロケーションされているフェムト基地局が動作モードに入るよう要求するリクエストを前記アクセスポイントを介して送信するよう構成される、システム。
（付記１２）
前記少なくとも１つのバインディング・メッセージを送信するよう構成される前記インターフェースは、更に、少なくとも１つのバインディング・メッセージを無線サービスプロバイダのネットワークへセキュア接続を介して送信するよう構成される、
付記１１に記載のシステム。
（付記１３）
前記インターフェースは、更に、
前記少なくとも１つのアクセスポイントとの第１の接続を確立し、
前記フェムト基地局との第２の接続を確立し、
前記第１の接続及び前記第２の接続を同時に保つと、前記少なくとも１つのバインディング・メッセージを生成する
よう構成される、
付記１１に記載のシステム。
（付記１４）
前記インターフェースは、更に、前記少なくとも１つのアクセスポイントを前記コロケーションされているフェムト基地局と結び付け直す少なくとも１つの更なるバインディング・メッセージを周期的に送信するよう構成される、
付記１１に記載のシステム。
（付記１５）
前記バインディング・メッセージは、前記少なくとも１つのアクセスポイントと関連づけられたＭＡＣアドレスと、前記コロケーションされているフェムト基地局と関連づけられたフェムト基地局識別子とを含む、
付記１１に記載のシステム。
（付記１６）
前記インターフェースは、更に、少なくとも１つの更なるアクセスポイントを前記コロケーションされているフェムト基地局と結び付ける少なくとも１つの更なるバインディング・メッセージを送信するよう構成される、
付記１１に記載のシステム。
（付記１７）
フェムト基地局をアクティブにするシステムであって、
アクセスポイント及び該アクセスポイントとともにコロケーションされているフェムト基地局を識別するバインディング・メッセージをエンドポイントから受信するよう構成されるインターフェースと、
前記インターフェースへ結合され、前記バインディング・メッセージに基づく第１のバインディングを有するよう構成されるプロセッサと
を有し、
前記インターフェースは、更に、
前記フェムト基地局が動作モードに入るよう要求する第１のリクエストを、前記第１のバインディングを有する前記エンドポイントから受信し、
前記第１のリクエストとは異なるインターフェースを用いて、前記フェムト基地局が動作モードに入るよう要求する第２のリクエストを送信する
よう構成される、システム。
（付記１８）
前記プロセッサは、更に、前記エンドポイントを認証するよう構成される、
付記１７に記載のシステム。
（付記１９）
前記プロセッサは、更に、
前記第１のバインディングが終了したと決定し、
前記第１のリクエストを削除する
よう構成される、
付記１７に記載のシステム。
（付記２０）
前記バインディング・メッセージは、前記アクセスポイントと関連づけられたＭＡＣアドレスと、前記フェムト基地局と関連づけられたフェムト基地局識別子とを含む、
付記１７に記載のシステム。
（付記２１）
ソフトウェアを組み込む１又はそれ以上のコンピュータ読出可能な持続性記憶媒体であって、前記ソフトウェアは、プロセッサによって実行される場合に、
少なくとも１つのアクセスポイントをコロケーションされているフェムト基地局と結び付ける少なくとも１つのバインディング・メッセージを送信し、
前記コロケーションされているフェムト基地局が電力節約モードにあると決定し、
前記コロケーションされているフェムト基地局が動作モードに入るよう要求するリクエストを前記アクセスポイントを介して送信する
よう動作する、記憶媒体。
（付記２２）
実行される場合に前記少なくとも１つのバインディング・メッセージを送信するよう構成される前記ソフトウェアは、更に、少なくとも１つのバインディング・メッセージを無線サービスプロバイダのネットワークへセキュア接続を介して送信するよう構成される、
付記２１に記載の記憶媒体。
（付記２３）
前記ソフトウェアは、実行される場合に、更に、
前記少なくとも１つのアクセスポイントとの第１の接続を確立し、
前記フェムト基地局との第２の接続を確立し、
前記第１の接続及び前記第２の接続を同時に保つと、前記少なくとも１つのバインディング・メッセージを生成する
よう構成される、
付記２１に記載の記憶媒体。
（付記２４）
前記ソフトウェアは、実行される場合に、更に、前記少なくとも１つのアクセスポイントを前記コロケーションされているフェムト基地局と結び付け直す少なくとも１つの更なるバインディング・メッセージを周期的に送信するよう構成される、
付記２１に記載の記憶媒体。
（付記２５）
前記バインディング・メッセージは、前記少なくとも１つのアクセスポイントと関連づけられたＭＡＣアドレスと、前記コロケーションされているフェムト基地局と関連づけられたフェムト基地局識別子とを含む、
付記２１に記載の記憶媒体。
（付記２６）
前記ソフトウェアは、実行される場合に、更に、少なくとも１つの更なるアクセスポイントを前記コロケーションされているフェムト基地局と結び付ける少なくとも１つの更なるバインディング・メッセージを送信するよう構成される、
付記２１に記載の記憶媒体。
（付記２７）
ソフトウェアを組み込む１又はそれ以上のコンピュータ読出可能な持続性記憶媒体であって、前記ソフトウェアは、プロセッサによって実行される場合に、
アクセスポイント及び該アクセスポイントとともにコロケーションされているフェムト基地局を識別するバインディング・メッセージをエンドポイントから受信し、
前記バインディング・メッセージに基づく第１のバインディングを記憶し、
前記フェムト基地局が動作モードに入るよう要求する第１のリクエストを、前記第１のバインディングを有する前記エンドポイントから受信し、
前記第１のリクエストとは異なるインターフェースを用いて、前記フェムト基地局が動作モードに入るよう要求する第２のリクエストを送信する
よう動作する、記憶媒体。
（付記２８）
前記ソフトウェアは、実行される場合に、更に、前記エンドポイントを認証するよう構成される、
付記２７に記載の記憶媒体。
（付記２９）
前記ソフトウェアは、実行される場合に、更に、
前記第１のバインディングが終了したと決定し、
前記第１のリクエストを削除する
よう構成される、
付記２７に記載の記憶媒体。
（付記３０）
前記バインディング・メッセージは、前記アクセスポイントと関連づけられたＭＡＣアドレスと、前記フェムト基地局と関連づけられたフェムト基地局識別子とを含む、
付記２７に記載の記憶媒体。
【符号の説明】
【００８０】
１００                          通信システム
１１０，２００，２５０，２７０  ネットワーク
１２０                          マクロ基地局（ＭＢＳ）
１３０                          ゲートウェイ
１４０，２１０                  エンドポイント
１５０                          無線接続
１６０                          有線リンク
１７０                          ノード
１８０，２６０                  ネットワークアクセス装置
１９０，２４０                  フェムト基地局（ｆＢＳ）
１９５，２８０                  アクセスポイント
２１１                          プロセッサ
２１２                          バス
２１３                          メモリ
２１５                          記憶装置
２１７                          インターフェース
【図１】
0005741337.tif 000002
【図２】
0005741337.tif 000003
【図３】
0005741337.tif 000004